(57)【要約】【目的】対象とするＴＶ受像機を始めて使う視聴者が好みの番組を選択でき、常に使う視聴者は好みの番組のジャンルを入力しなくても好みの番組を選択することができるＴＶ受像機を提供すること。【構成】放映できる番組情報のジャンルを識別する手段と、視聴者が好みの番組のジャンルを入力するための２つ以上のモードから１つのモードを選択する手段と、視聴者が好みの番組のジャンルに属する番組情報を抽出する手段と、抽出した番組情報をＴＶ画面に表示する手段と、ＴＶ画面に表示された番組情報から見たい番組を選択する手段と、選択された番組を放映する手段とを含んでＴＶ受像機を構成する。【選択図】      図１
2004221834.tif 000002
【特許請求の範囲】
【請求項１】
放映できる番組情報のジャンルを識別する手段と、視聴者が好みの番組のジャンルを入力するための２つ以上のモードから１つのモードを選択する手段と、視聴者が好みの番組のジャンルに属する番組情報を抽出する手段と、抽出した番組情報をＴＶ画面に表示する手段と、ＴＶ画面に表示された番組情報から見たい番組を選択する手段と、選択された番組を放映する手段とから構成されることを特徴とするＴＶ受像機。
【請求項２】
視聴者が好みの番組のジャンルを入力するための２つ以上のモードから１つのモードを選択する手段における第１のモードが個人を識別する手段と個人を識別するためのデータと番組の好みを記録するメモリーから構成さ、第２のモードが放映できる番組情報のジャンルを識別する手段によって識別されたジャンルをＴＶ画面に表示する手段とＴＶ画面に表示されたジャンルから１つ以上のジャンルを選択する手段から構成され、或は番組情報の属性を入力する手段と番組情報の属性を番組のジャンルを識別する手段から構成されることを特徴とする請求項１記載のＴＶ受像機。
【請求項３】
第２のモードで選択されたジャンルを、第１のモード用の個人を識別するためのデータと番組の好みを記録するメモリーに記録する手段を有することを特徴とする請求項２記載のＴＶ受像機。
【請求項４】
ＴＶを見る時刻を入力する手段と、選択された番組を予約する手段から構成されることを特徴とする請求項１記載のＴＶ受像機。
【発明の詳細な説明】
【０００１】
【発明の属する技術分野】
本発明は、好みの番組を選択して見ることができるＴＶ受像機に関する。
【０００２】
【従来の技術】
新聞に掲載されたＴＶ番組表やＴＶ番組の情報誌に掲載されたものから見たい番組を選択して、選択した番組を見ることを行ってきた。
【０００３】
【発明が解決しようとする課題】
ＴＶのチャンネル数が多くなるに連れて、ＴＶ番組表から見たい番組を選択することが困難となる。
【０００４】
この課題を解決する先行技術には、特開平５−２２７４９４号「ＴＶ受像機」、特開平８−１８０５０４号「放送受信装置」、特開平１０−９３９０５号「番組情報の記録媒体、情報記録装置及び録画予約装置」、特開平１０−２４３３０９号「放送受信装置テレビジョン選局装置」、（ＩＰ１５７０７７７「ＴＶ番組情報を選択する方法および装置」）がある。
【０００５】
特開平５−２２７４９４号「ＴＶ受像機」は、視聴者が見た番組の頻度から視聴者の番組の好みを決定することを行っている。しかし、視聴者が同じ番組を繰り返し見ることは極めて少ない。又、繰り返し放映されることも極めて稀である。更に、番組のタイトルはその都度変わることが多い。このため、視聴者が見た番組の頻度から視聴者の番組の好みを決定することは困難である。
【０００６】
特開平８−１８０５０４号「放送受信装置」は、視聴者が見たチャンネルから視聴者の番組の好みを決定することを行っている。しかし、現在のＴＶチャンネルと放映される番組の内容の間には余り相関性が見られないから、チャンネルから番組の好みを決定することは適当とは言えない。
【０００７】
特開平１０−９３９０５号「番組情報の記録媒体、情報記録装置及び録画予約装置」は、番組情報の記録と番組の予約に関するものであるが、番組の選択とは関わりがない。
【０００８】
特開平１０−２４３３０９号「放送受信装置テレビジョン選局装置」は、視聴者を識別（認証）するものであり、登録されたキーワード（番組の属性）を使って番組の選択を行うものである。この方法では、対象とするＴＶ受像機を初めて使う視聴者にとって、番組の好みに関するデータがＴＶ受像機に記録されていないから、好みの番組を選択して見ることができない。
【０００９】
（ＩＰ１５７０７７７「ＴＶ番組情報を選択する方法および装置」）は、番組の好みを番組が属するジャンルの好みとすることにより、番組のタイトルが変わっても対応できるようにするものである。しかし、この技術は番組の好みを予め登録するものであり、自動的に登録する手段に欠ける。
【００１０】
本発明は上記問題に鑑みてなされたもので、その目的とする処は、対象とするＴＶ受像機を始めて使う視聴者が好みの番組を選択でき、常に使う視聴者は好みの番組のジャンルを入力しなくても好みの番組を選択することができるＴＶ受像機を提供することにある。
【００１１】
【課題を解決するための手段】
上記目的を達成するため、本発明は、放映できる番組情報のジャンルを識別する手段と、視聴者が好みの番組のジャンルを入力するための２つ以上のモードから１つのモードを選択する手段と、視聴者が好みの番組のジャンルに属する番組情報を抽出する手段と、抽出した番組情報をＴＶ画面に表示する手段と、ＴＶ画面に表示された番組情報から見たい番組を選択する手段と、選択された番組を放映する手段とを含んでＴＶ受像機を構成したことを特徴とする。
【００１２】
【発明の実施の形態】
以下に本発明の実施の形態を添付図面に基づいて説明する。
【００１３】
＜実施の形態１＞
図１に本発明の基本的構成図、図２に処理の流れ図を示す。
【００１４】
図１において、１は放映できる番組情報のジャンルを識別する手段、２は視聴者が好みのジャンルを入力するための２つ以上のモードから１つのモードを選択する手段、３は視聴者が好みのジャンルに属する番組情報を抽出する手段、４は抽出した番組情報をＴＶ画面に表示する手段、５はＴＶ画面に表示された番組情報から見たい番組を選択する手段、６は選択された番組を放映する手段である。
【００１５】
図２において、１１は放映できる番組情報のジャンルを識別する処理、１２は視聴者が好みのジャンルを入力するための２つ以上のモードから１つのモードを選択する処理、１３は視聴者が好みのジャンルに属する番組情報を抽出する処理、１４は抽出した番組情報をＴＶ画面に表示する処理、１５はＴＶ画面に表示された番組情報から見たい番組を選択する処理、１６は選択された番組を放映する処理である。
【００１６】
以下、図２に示す処理の流れ図に基づいて動作を説明する。
【００１７】
ＴＶ番組を選択したいという信号により、放映できる番組情報のジャンルを識別する手段１により、放映できる番組情報のジャンルを識別する処理１１が実行される。具体的には、放映できる番組情報のジャンルを識別する手段１が番組情報を記録するメモリー、番組情報の属性とジャンルの関係を記録する辞書、放映が可能な番組情報を抽出する手段、番組情報が属するジャンルを識別する手段、各ジャンルと属する番組情報を記録するメモリーから構成される。ここでは、番組情報を記録するメモリーから放映が可能な番組情報を抽出して、抽出した番組情報がどのジャンルに属するかを識別する。そして、各ジャンルと属する番組情報がメモリーに記録される。
【００１８】
因みに、番組の属性とは、番組の内容に関わる言葉であり、タイトル、概要を記述する言葉、放映するチャンネル、放映する時間等である。例えば、２１時、ｘｘチャンネルで放映される日曜洋画劇場「戦場にかける橋」という番組情報における属性は、日曜洋画劇場、戦場にかける橋、ｘｘチャンネル、２１時である。
【００１９】
そして、番組のジャンルとは、報道、スポーツ、ドラマ、音楽、映画、エンターテイメント等である。又、連続ドラマのように放映される頻度が高いものは１つのジャンルと見なす。このような定義のもとでは、番組はどれかのジャンルに属することになる。例えば、２１時、ｘｘチャンネルで放映される日曜洋画劇場「戦場にかける橋」という番組のジャンルは映画である。
【００２０】
ここで、我々が番組情報を見たときその番組がどのジャンルにあるかを判断できることからも分かるように、番組とジャンルの間には密接な関係がある。この関係に基づき、属性とジャンルの間の関係を記述する辞書を作ることができる。このような辞書の用途は、属性を表現するのに色々な表現が使われるためである。例えば、外国の映画を、単に映画と表現したり、或は洋画と表現することがある。又、「巨人対阪神戦」という属性は、プロ野球の巨人対阪神戦を表わすと同時に、巨人対阪神戦が放映されていないときには、他のプロ野球中継でも見たいという意味を含む。
【００２１】
視聴者が好みのジャンルを入力するための２つのモードから１つのモードを選択する手段２により、視聴者が好みの番組のジャンルを入力するための２つのモードから１つのモードを選択する処理１２が実行される。具体的には、視聴者が好みのジャンルを入力するための２つ以上のモードから１つのモードを選択する手段２は、モードを選択する手段、各モードにおける好みのジャンルを入力する手段から構成される。ここで、モードが選択されたとき、選択されたモード用の好みのジャンルを入力する処理が行なわれる。
【００２２】
ここで言う２つのモードとは、間接的に好みの番組のジャンルを入力するモードと、直接的に見たい番組のジャンルを入力するモードである。前者のモードは、好みの番組のジャンルを既に登録している視聴者のためのモードであり、視聴者が識別されることにより、登録されたジャンルが自動的に読み出される。対する後者のモードは、対象とするＴＶ受像機を初めて使う視聴者、或は登録してあるジャンルを修正したい視聴者のためのモードである。詳細には、実施の形態２〜実施の形態４において説明する。
【００２３】
視聴者が好みのジャンルに属する番組情報を抽出する手段３により、視聴者が好みのジャンルに属する番組情報を抽出する処理１３が実行される。ここでは、放映できる番組情報のジャンルを識別する手段１の構成要素である各ジャンルと属する番組情報を記録するメモリーから、視聴者が好みの番組のジャンルに属する番組情報が読み出される。
【００２４】
抽出した番組情報をＴＶ画面に表示する手段４により、抽出した番組情報をＴＶ画面に表示する処理１４が実行される。ここでは、視聴者が好みのジャンルに属する番組情報を抽出する処理１３において抽出された番組情報がＴＶ画面に表示される。
【００２５】
ＴＶ画面に表示された番組情報から見たい番組を選択する手段、６は選択された番組を放映する手段５により、ＴＶ画面に表示された番組情報から見たい番組を選択する処理１５が実行される。ここでは、抽出した番組情報をＴＶ画面に表示する処理１４でＴＶ画面に表示された番組情報の中から見たい番組を１つ選択することが行われる。この選択された番組情報には放映されるチャンネルも記録されている。
【００２６】
選択された番組を放映する手段６により、選択された番組を放映する処理１６が実行される。選択された番組を放映する手段６は、番組情報から放映するＴＶのチャンネルを読み出す手段、読み出したチャンネルにセットする手段から構成される。ここで、抽出した番組情報をＴＶ画面に表示する処理１４で選択された番組情報から放映するチャンネルを読み出して、そのチャンネルにセットされる。
【００２７】
本実施の形態に示すように、視聴者が好みの番組のジャンルを入力するための２つ以上のモードから１つのモードを選択する手段を設けることにより、対象とするＴＶ受像機を始めて使う視聴者が好みの番組を選択できる。そして、常に使う視聴者は好みの番組のジャンルを入力しなくても好みの番組を選択できる。
【００２８】
又、全ての番組情報を表示するものではなく、好みの番組のジャンルに属する番組情報だけが表示されるため、番組を選択し易い。又、選択による好みの番組の見落としがない。
【００２９】
＜実施の形態２＞：好みの番組のジャンルを入力する手段
本実施の形態は、視聴者が好みの番組のジャンルを入力するための２つ以上のモードから１つのモードを選択する手段２における間接的に好みの番組のジャンルを入力するものである。
【００３０】
図３に好みの番組のジャンルを入力する手段の第１の構成図、図４に好みの番組のジャンルを入力する処理の第１の流れ図を示す。
【００３１】
図３又は図４において、２１は視聴者を識別する手段、２２は視聴者の好みのジャンルを読み出す手段、２３は視聴者を識別するためのデータと好みのジャンルを記録するメモリー、２４は視聴者を識別する処理、２５は視聴者の好みのジャンルを読み出す処理である。
【００３２】
以下、動作を説明する。
【００３３】
視聴者を識別するためのデータと好みのジャンルを記録するメモリー２３には、予め、視聴者を識別するためのデータと、登録された好みのジャンルが記録されている。
【００３４】
視聴者を識別する手段２１は、視聴者により入力された暗証番号から視聴者を識別するという方法、或は指紋、網膜のアイリス、或は顔等の生体情報を入力するセンサーと識別する手段から構成されるバイオ・メトリックスという方法によるものである。
【００３５】
視聴者を識別する処理２４は、視聴者を識別するためのデータと好みのジャンルを記録するメモリー２３に記録された視聴者を識別するためのデータを基に、視聴者を識別する手段２１によって視聴者を識別する。
【００３６】
視聴者の好みのジャンルを読み出す処理２５は、視聴者を識別するためのデータと好みのジャンルを記録するメモリー２３から、識別された視聴者が好みの番組のジャンルを読み出す。
【００３７】
本実施の形態に示すように、好みの番組のジャンルの入力を自動化することは、入力する手間が省ける。又、暗証番号やバイオ・メトリックスによって視聴者が識別されるため、第三者に好みの番組のジャンルを知られることがない。
【００３８】
＜実施の形態３＞：好みの番組のジャンルを入力する手段
本実施の形態は、視聴者が好みの番組のジャンルを入力するための２つ以上のモードから１つのモードを選択する手段２における直接的に好みの番組のジャンルを入力するものである。
【００３９】
図５に好みの番組のジャンルを入力する手段の第２の構成図、図６に好みの番組のジャンルを入力する処理の第２の流れ図を示す。
【００４０】
図５又は図６において、３１は好みの番組の属性を入力する手段、３２は番組情報の属性が属するジャンルを識別する手段、３３は番組情報の属性とジャンルの関係を記録する辞書、３４は好みの番組の属性を入力する処理、３５は好みの番組の属性から好みのジャンルを抽出する処理である。
【００４１】
以下、動作を説明する。
【００４２】
本実施の形態は、視聴者が番組の属性を直接入力するものである。視聴者が用いる番組の属性と番組情報で用いられる属性が意味的には等しくても、一致しないことがある。このような属性の表現が持つ曖昧さを包含するために、属性の代わりにジャンルを使う。
【００４３】
好みの番組の属性を入力する処理３４では、例えば、キーボードやリモコンとうの手段により、好みの番組の属性を入力する。
【００４４】
好みの番組の属性から、好みのジャンルを抽出する処理３５は、番組情報の属性とジャンルの関係を記録する辞書３３を用いて、属性が属するジャンルを識別する。
【００４５】
本実施の形態に示すように、好みのジャンルを用いたとき、属性を用いる場合に比べて属性の表現の曖昧さがないため、好みの番組を抽出する際の見落としがない。
【００４６】
＜実施の形態４＞：好みの番組のジャンルを入力する手段
本実施の形態は、視聴者が好みの番組のジャンルを入力するための２つ以上のモードから１つのモードを選択する手段２における直接的に好みの番組のジャンルを入力するものである。
【００４７】
図７に好みの番組のジャンルを入力する処理の第２の流れ図を示す。
【００４８】
図７において、３６は放映可能な番組のジャンルをＹＶ画面に表示する処理、３７は表示されたジャンルの中から見たいものを選択する処理である。
【００４９】
以下、動作について説明する。
【００５０】
本実施の形態では、放映可能な番組のジャンルが表示されて、表示されたものから好みの番組のジャンルを選択することが行われる。
【００５１】
具体的には、放映できる番組情報のジャンルを識別する手段１によって、放映できる番組が属するジャンルが求まるから、求まったジャンルをＴＶ画面に表示する。この場合、放映できる番組情報を全て表示する場合に比べて、ジャンルを表示した方が数は少なくて済む。
【００５２】
視聴者は表示されたジャンルの中から見たいジャンルを選択するが、この選択は容易に実行できる。
【００５３】
本実施の形態に示す方法は、表示されたジャンルの中から好みのジャンルを選択するため、番組の属性を入力する場合に比べて、キーボードの操作が苦手なものでも容易に実行することができる。又、番組の属性をどう表現するかを考える必要がない。
【００５４】
＜実施の形態５＞
本実施の形態は、実施の形態３又は実施の形態４に示した直接的に好みの番組のジャンルを入力する手段によって、視聴者を識別するためのデータと好みのジャンルを記録するメモリー２３に好みの番組のジャンルを記録或は修正するものであり、好みの番組のジャンルが入力された後に行われる。
【００５５】
図８に視聴者を識別するデータと好みの番組のジャンルをメモリーに登録する処理の流れ図を示す。
【００５６】
図８において、４１は視聴者を識別する処理、４２はメモリー２３に視聴者が登録されていないかの判断処理、４３は視聴者を識別するデータを記録する処理、４４は好みのジャンルを追加・修正する処理である。
【００５７】
以下、動作を説明する。
【００５８】
ＴＶ受像機から、好みの番組のジャンルを登録するかの問い合わせ（ＴＶ画面上の表示）に対して、登録するとしたときに本実施の形態の処理が実行される。
【００５９】
視聴者を識別する処理４１は、視聴者を識別する手段２１によって行われ、視聴者を識別するデータが採集される。
【００６０】
４２はメモリー２３に視聴者が登録されていないかの判断処理は、採集した視聴者を識別するデータを用いて、視聴者を識別するためのデータと好みの番組のジャンルを記録するメモリー２３にこのデータと一致するものが無いかを調べる。
【００６１】
一致するデータが無いとき、視聴者を識別するデータを記録する処理４３により、メモリー２３にこのデータは登録される。
【００６２】
次に、好みのジャンルを追加・修正する処理４４は、実施の形態３又は実施の形態４に示した直接的に好みのジャンルを入力する処理においてワーキング・メモリーに記録された好みの番組のジャンルを、メモリー２３中の識別或は登録された視聴者のところに追加・修正する。
【００６３】
本実施の形態で示したように、直接的に好みの番組のジャンルを入力する手段を用いて視聴者の好みの番組情報がメモリーに記録されることにより、以降では自動的に視聴者の好みの番組が抽出される。
【００６４】
＜実施の形態６＞
実施の形態１が番組の選択を要求した時刻に放映される番組から見たい番組を選択するのに対して、本実施の形態は、ＴＶを見たい時刻を指定し、その時刻に見られる好みの番組を選択して放映を予約するものである。
【００６５】
図９に処理の流れ図を示す。
【００６６】
図９において、５１はＴＶを見たい時刻を入力する処理、５２は好みの番組を選択する処理、５３は選択した番組を予約する処理である。
【００６７】
以下、動作を説明する。
【００６８】
本実施の形態は、好みの番組の選択を開始する直後において、ＴＶ受像機からのＴＶを見たい時刻の問い合わせ（ＴＶ画面上の表示）に対して実行される。
【００６９】
ＴＶを見たい時刻を入力する処理５１は視聴者により時刻が入力される。そして、好みの番組を選択する処理５２によって、入力された時刻において放映可能な番組から好みの番組が選択される。このとき行われる処理は実施の形態１と同様である。
【００７０】
選択された番組は、選択した番組を予約する処理によって、時刻とチャンネルがメモリーに記録される。
【００７１】
本実施の形態に示すように、ＴＶを見たい時刻を決めて、その時刻に好みの番組が放映されるかを知り、この番組を予約できるから、見たい番組を見逃すことがない。
【００７２】
【発明の効果】
以上の説明で明らかなように、本発明によれば以下の効果が得られる。
【００７３】
１．視聴者が好みの番組のジャンルを入力するための２つのモードから１つのモードを選択する手段を設けることにより、対象とするＴＶ受像機を始めて使う視聴者が好みの番組を選択できる。常に使う視聴者は好みの番組のジャンルを入力しなくても好みの番組を選択できる。
【００７４】
２．全ての番組情報を表示するものではなく、好みの番組のジャンルに属する番組情報だけが表示されるため、番組を選択し易い。又、好みの番組を見落とすことがない。
【００７５】
３．好みの番組のジャンルに属する番組情報が全て表示されるため、好みの番組を見落とすことがない。
【００７６】
４．好みの番組のジャンルの入力を自動化することによって、入力する手間が省ける。
【００７７】
５．好みの番組のジャンルの入力を自動化することによって、暗証番号やバイオ・メトリックスによって視聴者が識別されるため、第三者に好みの番組のジャンルを知られることがない。
【００７８】
６．好みのジャンルを用いたとき、属性を用いる場合に比べて、好みの番組を抽出する際の見落としを無くすことができる。
【００７９】
７．表示されたジャンルの中から好みのジャンルを選択するため、番組の属性を入力する場合に比べてキーボード等の操作が簡単となる。又、番組の属性を考える必要がない。
【００８０】
８．直接的に好みの番組のジャンルを入力する手段を用いて視聴者の好みの番組情報がメモリーに登録されることにより、以降では自動的に視聴者の好みの番組が抽出される。
【００８１】
９．ＴＶを見たい時刻を決めて、その時刻に好みの番組が放映されるかを知り、この番組を予約できるから、見たい番組を見逃すことがない。
【図面の簡単な説明】
【図１】本発明の基本的構成図である。
【図２】本発明の処理の流れ図である。
【図３】好みの番組のジャンルを入力する手段の第１の構成図である。
【図４】好みの番組のジャンルを入力する処理の第１の流れ図である。
【図５】好みの番組のジャンルを入力する手段の第２の構成図である。
【図６】好みの番組のジャンルを入力する処理の第２の流れ図である。
【図７】好みの番組のジャンルを入力する処理の第３の構成図である。
【図８】視聴者を識別するデータと好みの番組のジャンルをメモリーに登録する処理の流れ図である。
【図９】本発明の第２の処理の流れ図である。
【符号の説明】
１      放映できる番組情報のジャンルを識別する手段
２      視聴者が好みのジャンルを入力するための２つのモードから１つのモードを選択する手段
３      視聴者が好みのジャンルに属する番組情報を抽出する手段
４      抽出した番組情報をＴＶ画面に表示する手段
５      ＴＶ画面に表示された番組情報から見たい番組を選択する手段
６      選択された番組を放映する手段
１１    放映できる番組情報のジャンルを識別する処理
１２    視聴者が好みのジャンルを入力するための２つのモードから１つのモードを選択する処理
１３    視聴者が好みのジャンルに属する番組情報を抽出する処理
１４    抽出した番組情報をＴＶ画面に表示する処理
１５    ＴＶ画面に表示された番組情報から見たい番組を選択する処理
１６    選択された番組を放映する処理
２１    視聴者を識別する手段
２２    視聴者の好みのジャンルを読み出す手段
２３    視聴者を識別するためのデータと好みのジャンルを記録するメモリー
２４    視聴者を識別する処理
２５    視聴者の好みのジャンルを読み出す処理
３１    好みの番組の属性を入力する手段
３２    番組情報の属性が属するジャンルに識別する手段
３３    番組情報の属性とジャンルの関係を記録する辞書
３４    好みの番組の属性を入力する処理
３５    好みの番組の属性から好みのジャンルを抽出する処理
３６    放映可能な番組のジャンルをＴＶ画面に表示する処理
３７    表示されたジャンルの中から見たいものを選択する処理
４１    視聴者を識別する処理
４２    メモリーに視聴者が登録されていないかの判断処理
４３    視聴者を識別するデータを記録する処理
４４    好みのジャンルを追加・修正する処理
５１    ＴＶを見たい時刻を入力する処理
５２    好みの番組を選択する処理
５３    選択した番組を予約する処理
【図１】
2004221834.tif 000003
【図２】
2004221834.tif 000004
【図３】
2004221834.tif 000005
【図４】
2004221834.tif 000006
【図５】
2004221834.tif 000007
【図６】
2004221834.tif 000008
【図７】
2004221834.tif 000009
【図８】
2004221834.tif 000010
【図９】
2004221834.tif 000011